(57)【特許請求の範囲】
【請求項１】
内箱を含む冷蔵庫本体と、
前記内箱に形成されている第１の貯蔵室と前記第１の貯蔵室の下に設けられ、前記内箱に形成されている第２の貯蔵室とを仕切る仕切部材と、
前記第１の貯蔵室を開閉する扉と、
前記扉に取り付けられている第１の可動レールと、
前記第１の可動レール上に載置されている収納容器と、
前記第１の可動レールに取り付けられ、回転自在に構成されている第１の回転部材と、
前記第１の貯蔵室に設けられ、前記第１の可動レールを支持する第１の支持部材と、
前記第１の支持部材よりも下に配置され、前記仕切部材の上面上に設けられている第１の固定レールと、
前記第１の固定レールを前記内箱に固定する固定部材と、
を備え、
前記第１の固定レールは前記仕切部材に挿入され、前記第１の固定レールと前記仕切部材とが一体になっており、
前記仕切部材は、第１の凹部を含み、
前記第１の固定レールは、前記第１の回転部材を支持する第１の支持面と、前記第１の支持面よりも下に設けられ、前記仕切部材の前記第１の凹部に挿入されている第１の下部と、前記第１の支持面及び前記第１の下部よりも上に設けられ、前記内箱に接触している第１の上部を含み、
前記固定部材は、前記第１の上部に接続されている
冷蔵庫。
【請求項２】
前記仕切部材に設けられている真空断熱材を更に備え、
前記仕切部材は、前記第１の凹部が形成され、前記上面を含む第１の面部を含み、
前記第１の貯蔵室は、冷凍室であり、
前記第２の貯蔵室の温度帯は、前記第１の貯蔵室よりも温度帯が高く、
前記真空断熱材は、前記第１の面部に接触し、
前記第１の面部のうち前記真空断熱材に接触する部分を接触部とし、
前記第１の面部のうち前記接触部の周縁に設けられている部分であって前記真空断熱材に接触していない部分を周縁部としたとき、
前記第１の凹部は、前記周縁部に形成されている
請求項１に記載の冷蔵庫。
【請求項３】
前記第１の固定レールは、前記内箱に接触している接触面部と、前記仕切部材の前記上面に接触する底面及び前記第１の回転部材を支持する前記第１の支持面を含む底部とを更に含み、
前記第１の下部は、前記接触面部の下端に接続され、前記底部よりも下に設けられ、
前記第１の上部は、前記接触面部の上端に接続されている
請求項１又は２に記載の冷蔵庫。
【請求項４】
前記収納容器が載置され、前記扉に取り付けられ、前記第１の可動レールに平行である第２の可動レールと、
前記第２の可動レールに取り付けられ、回転自在に構成されている第２の回転部材と、
前記第１の貯蔵室に設けられ、前記第２の可動レールを支持する第２の支持部材と、
前記第２の支持部材よりも下に配置され、前記仕切部材の上面上に設けられ、前記第１の固定レールに平行である第２の固定レールとを更に備え、
前記仕切部材は、前記第２の固定レールに平行に形成されている第２の凹部を含み、
前記第２の固定レールは、前記第２の回転部材を支持する第２の支持面と、前記第２の支持面よりも下に設けられ、前記仕切部材の前記第２の凹部に挿入されている第２の下部とを含む
請求項１〜３のいずれか一項に記載の冷蔵庫。
【請求項５】
一端が前記第１の可動レールに設けられ、他端が前記第２の可動レールに設けられている、板状の第１の補強部材を更に備えている
請求項４に記載の冷蔵庫。
【請求項６】
一端が前記第１の可動レールに設けられ、他端が前記第２の可動レールに設けられ、前記第１の補強部材よりも前記扉に近い、板状の第２の補強部材と、
一端が前記第１の補強部材に設けられ、他端が前記第２の補強部材に設けられ、板状の第３の補強部材を更に備えている
請求項５に記載の冷蔵庫。
【発明の詳細な説明】
【技術分野】
【０００１】
本発明は、冷蔵庫に関し、特に、貯蔵室の扉に設けられているレールを支持する構造を備えている冷蔵庫に関するものである。
【背景技術】
【０００２】
冷蔵庫には引き出し式の扉を備えているものが各種提案されている（例えば、特許文献１参照）。この扉には、前後方向に動く可動レールが取り付けられている。可動レールの下部には、貯蔵室に固定されている固定レール上を移動するローラーが設けられている。また、可動レールの上部には、貯蔵室に回転自在に取り付けられている支持構造に支持されるフランジが形成されている。なお、特許文献１に記載の固定レールは、貯蔵室を仕切る仕切部材に一体的に成形されている。【０００３】
ここで、収納容器の横側面はテーパー状に形成されている。この収納容器の横側面は、支持構造よりも、貯蔵室の横幅方向における貯蔵室の中心寄りに配置される。このため、支持構造の上下位置が低ければ、収納容器の上部は、支持構造よりも、貯蔵室の横幅方向における貯蔵室の中心寄りに配置する必要はない。つまり、支持構造の上下位置が低ければ、収納容器の上部は、支持構造の上側に配置されていてもよい。したがって、支持構造の上下位置が低ければ、収納容器の容積が小さくなることを抑制することができる。特許文献１に記載の冷蔵庫では、回転自在の支持構造が、貯蔵室の下側に位置しているため、収納容器の容積が小さくなることを抑制できる。
【先行技術文献】
【特許文献】
【０００４】
【特許文献１】特開平１１−６６８３号公報
【発明の概要】
【発明が解決しようとする課題】
【０００５】
固定レールと仕切部材とが一体的に成形されている場合には、固定レールの強度を確保するため、仕切部材よりも固定レールの肉厚を増加させることがある。しかし、肉厚を偏らせると、成形不良につながる可能性が高まる。【０００６】
本発明は、上記のような課題を解決するためになされたもので、収納容器の容積が小さくなることを抑制するとともに、成形不良を抑制することができる冷蔵庫を提供することを目的としている。
【課題を解決するための手段】
【０００７】
本発明に係る冷蔵庫は、内箱を含む冷蔵庫本体と、前記内箱に形成されている第１の貯蔵室と前記第１の貯蔵室の下に設けられ、前記内箱に形成されている第２の貯蔵室とを仕切る仕切部材と、前記第１の貯蔵室を開閉する扉と、前記扉に取り付けられている第１の可動レールと、前記第１の可動レール上に載置されている収納容器と、前記第１の可動レールに取り付けられ、回転自在に構成されている第１の回転部材と、前記第１の貯蔵室に設けられ、前記第１の可動レールを支持する第１の支持部材と、前記第１の支持部材よりも下に配置され、前記仕切部材の上面上に設けられている第１の固定レールと、前記第１の固定レールを前記内箱に固定する固定部材と、を備え、前記第１の固定レールは前記仕切部材に挿入され、前記第１の固定レールと前記仕切部材とが一体になっており、前記仕切部材は、第１の凹部を含み、前記第１の固定レールは、前記第１の回転部材を支持する第１の支持面と、前記第１の支持面よりも下に設けられ、前記仕切部材の前記第１の凹部に挿入されている第１の下部と、前記第１の支持面及び前記第１の下部よりも上に設けられ、前記内箱に接触している第１の上部を含み、前記固定部材は、前記第１の上部に接続されているものである。
【発明の効果】
【０００８】
本発明に係る冷蔵庫によれば、上記構成を備えているので、収納容器の容積が小さくなることを抑制するとともに、成形不良を抑制することができる。
【図面の簡単な説明】
【０００９】
【図１】実施の形態に係る冷蔵庫１の斜視図である。
【図２Ａ】実施の形態に係る冷蔵庫１の奥行方向及び高さ方向に平行な面の断面図である。
【図２Ｂ】実施の形態に係る冷蔵庫１の、図２Ａの断面と直交する面の断面図である。
【図３Ａ】実施の形態に係る冷蔵庫１の冷凍室扉７を引き出した状態の斜視図である。
【図３Ｂ】実施の形態に係る冷蔵庫の仕切部材４４及び固定レール４３を上側から見た図である。
【図３Ｃ】実施の形態に係る冷蔵庫の冷凍室１３の説明図である。・
【図４Ａ】（ａ）は実施の形態に係る冷蔵庫１の冷凍室１３の冷凍室扉７、固定レール４３、可動レール４０、冷凍室ケース６０を横から見た図であり、（ｂ）は冷凍室扉７が方向Ｄｒ１に引き込まれる構造を示し、（ｃ）は第１のストッパー４７Ａ等の構造を示している。
【図４Ｂ】実施の形態に係る冷蔵庫１の冷凍室扉７を引き出した状態を示している。
【図４Ｃ】図４Ｂの状態よりも更に、実施の形態に係る冷蔵庫１の扉を引き出した状態を示している。
【図４Ｄ】実施の形態に係る冷蔵庫１の固定レール４３及びその周辺の説明図である。
【図５Ａ】実施の形態に係る冷蔵庫１の仕切部材４４及び固定レール４３の分解斜視図である。
【図５Ｂ】実施の形態に係る冷蔵庫１の仕切部材４４及び固定レール４３の正面図である。
【図５Ｃ】実施の形態に係る冷蔵庫１の仕切部材４４及び固定レール４３を横から見た図である。
【図５Ｄ】実施の形態に係る冷蔵庫１の固定レール４３、可動レール４０、回転部材４２及び支持部材４１の説明図である。
【図６Ａ】実施の形態に係る冷蔵庫１の仕切部材４４の真空断熱材ＨＩ１及び発泡断熱材ＨＩ２を示す断面図である。
【図６Ｂ】実施の形態に係る冷蔵庫１の仕切部材４５の真空断熱材ＨＩ３及び発泡断熱材ＨＩ４の説明図である。
【図７Ａ】実施の形態に係る冷蔵庫１の変形例１である。
【図７Ｂ】実施の形態に係る冷蔵庫１の変形例２である。
【発明を実施するための形態】
【００１０】
以下、図面を適宜参照しながら本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。更に、明細書全文に表わされている構成要素の形態は、あくまでも例示であって、これらの記載に限定されるものではない。
【００１１】
実施の形態．
図１は、実施の形態に係る冷蔵庫１の斜視図である。
図２Ａは、実施の形態に係る冷蔵庫１の奥行方向及び高さ方向に平行な断面図である。
図２Ｂは、実施の形態に係る冷蔵庫１の、図２Ａの断面と直交する面の断面図である。
図２Ｂでは、棚５０等の貯蔵品を載置する部材及び冷凍室ケース６０等の保蔵品を収容する部材の図示を省略している。
【００１２】
方向Ｄｒ１は、冷蔵庫１００の奥行方向を示している。
方向Ｄｒ２は、冷蔵庫１００の横方向を示している。
方向ＤＲ３は、冷蔵庫１００の高さ方向を示している。
【００１３】
［冷蔵庫１の概要説明］
冷蔵庫１は、貯蔵品を貯蔵する貯蔵室が形成された筐体２を備えている。筐体２は外箱２ｔ１及び内箱２ｔ２を備えている。外箱２ｔ１と内箱２ｔ２との間には、発泡断熱材等が配置さいれている。筐体２には、冷蔵室１０、製氷室１１、切替室１２、冷凍室１３及び野菜室１４が形成されている。以下の説明において、冷蔵室１０、製氷室１１、切替室１２、冷凍室１３及び野菜室１４のうちの１つ又は複数を貯蔵室と便宜的に称することもある。筐体２は、棚５０を支持するためのレール８０Ａ及びレール８０Ｂを備えている。レール８０Ａ及びレール８０Ｂは向かい合っている。
【００１４】
冷蔵室１０の前面には冷蔵室扉３及び冷蔵室扉４が配置され、製氷室１１の前面には製氷室扉５が配置され、切替室１２の前面には切替室扉６が配置され、冷凍室１３の前面には冷凍室扉７が配置され、野菜室１４の前面には野菜室扉８が配置されている。冷凍室扉７は本発明の扉に対応する。冷凍室１３は本発明の第１の貯蔵室に対応する。野菜室１４は本発明の第２の貯蔵室に対応する。
また、筐体２には、冷蔵室ダクト３０と、野菜室ダクト３１と、切替室ダクト３２とが形成されている。冷蔵室扉３及び冷蔵室扉４は回転式の扉である。冷蔵室扉３の外側表面には操作パネル９が設けられている。製氷室扉５、切替室扉６、冷凍室扉７及び野菜室扉８は引出式の扉である。
【００１５】
冷蔵室１０には、冷蔵室扉３及び冷蔵室扉４がしまっている状態において、貯蔵品を載置する複数のドアポケット１０Ｃが配置されている。ドアポケット１０Ｃは、冷蔵室扉３及び冷蔵室扉４に取り付けられている。冷蔵室１０には、スライド式のケース１０Ａと、ケース１０Ａの下に配置されたスライド式のケース１０Ｂとが配置されている。
【００１６】
製氷室１１には氷を生成する製氷装置（図示省略）、及び、生成された氷を貯める製氷ケース（図示省略）が配置されている。切替室１２には、貯蔵品を載置する切替室ケース１２Ａが配置されている。切替室１２は、冷凍温度帯（例えば−１８℃程度）、冷蔵温度帯（例えば３℃程度）、チルド温度帯（例えば０℃程度）、ソフト冷凍温度帯（例えば−７℃程度）等の各種温度帯に、保冷温度帯を切り換えることができるようになっている。
冷凍室１３には、貯蔵品を載置する冷凍室ケース１３Ａと、冷凍室ケース１３Ａの下に配置された冷凍室ケース６０とが配置されている。冷凍室ケース６０が本発明の収納容器に対応している。更に、野菜室１４には、貯蔵品を載置する野菜室ケース１４Ａ及び野菜室ケース１４Ｂが配置されている。冷凍室ケース６０は樹脂で構成されている。冷凍室ケース６０は底部から上部に向かって広がっている。つまり、冷凍室ケース６０の横側面は傾斜面になっている。成形した冷凍室ケース６０を金型から抜きやすくするためである。
【００１７】
冷蔵庫１の筐体２には、冷媒を圧縮する圧縮機２０と、蒸発器として機能する熱交換器２１とが搭載されている。圧縮機２０は、筐体２の底部に形成された機械室１５に設けられている。熱交換器２１は、冷蔵庫１における冷却器であり、圧縮機２０よりも上に配置されている。また、図示は省略しているが、冷蔵庫１には、例えば、放熱器として機能する放熱パイプ及び冷媒を減圧させる減圧機構が搭載されている。そして、冷蔵庫１は、圧縮機２０と放熱パイプと減圧機構と熱交換器２１とが接続されて構成された冷凍サイクルを備えている。減圧機構は、例えばキャピラリーチューブ等を採用することができる。
【００１８】
冷蔵庫１の筐体２には、熱交換器２１で冷却された空気（冷気）を冷蔵室１０等の各室に供給する冷却用ファン２２が搭載されている。冷却用ファン２２は、熱交換器２１の上に配置されている。冷却用ファン２２から送風された冷気は、冷蔵室ダクト３０及び切替室ダクト３２を介して、冷蔵室１０、製氷室１１、切替室１２及び冷凍室１３に供給される。なお、野菜室１４には、冷蔵室１０内の冷気が通過する帰還風路（図示省略）を介して供給される。そして、野菜室１４内の冷気は野菜室ダクト３１を介して熱交換器２１に戻される。
【００１９】
その他に、冷蔵庫１には、図示を省略しているが、貯蔵室の温度を検出する温度検出センサーと、温度検出センサーの検出温度に基づいて、冷却用ファン２２の回転数、冷蔵室用ダンパー２４及び切替室用ダンパー２３の開閉を制御する制御装置とが搭載されている。温度検出センサーは、例えば、サーミスタ等から構成することができる。制御装置は、圧縮機２０の運転、停止、回転数の制御等も行うものであり、例えば、マイコンが実装された制御基板等から構成される。
【００２０】
［冷凍室１３について］
図３Ａは、実施の形態に係る冷蔵庫１の冷凍室扉７を引き出した状態の斜視図である。
図３Ｂは、実施の形態に係る冷蔵庫の仕切部材４４及び固定レール４３を上側から見た図である。
図３Ｃは、実施の形態に係る冷蔵庫の冷凍室１３の説明図である。
なお、図３Ａでは、冷凍室ケース６０及び冷凍室ケース１３Ａを図示省略している。また、図３Ａでは、本来、支持部材４１及び回転部材４２は可動レール４０に隠れて見えないが、説明の便宜上、支持部材４１及び回転部材４２を示している。
【００２１】
冷蔵庫１００は、冷凍室扉７と、冷凍室扉７に取り付けられている一対の可動レール４０と、可動レール４０を支持する一対の支持部材４１と、可動レール４０を支持する一対の固定レール４３とを備えている。また、冷蔵庫１００は、製氷室１１及び切替室１２と冷凍室１３とを仕切る仕切部材４５と、冷凍室１３と野菜室１４とを仕切る仕切部材４４とを備えている。更に、冷蔵庫１００は、一端が一方の可動レール４０に設けられ、他端が他方の可動レール４０に設けられている補強部材４６を備えている。一対の可動レール４０は本発明の第１の可動レール及び第２の可動レールに対応している。一対の支持部材４１は本発明の第１の支持部材及び第２の支持部材に対応している。一対の固定レール４３は本発明の第１の固定レール及び第２の固定レールに対応している。補強部材４６は本発明の第１の補強部材に対応する。
【００２２】
冷凍室扉７は前面部が意匠面になっている。冷凍室扉７は冷凍室１３を開閉する機能を有している。ユーザーが冷凍室扉７を前後に移動させることで、冷凍室１３は開閉する。冷凍室扉７の後面部には、一対の可動レール４０が取り付けられている。可動レール４０は例えばネジ等の固定手段により、冷凍室扉７に取り付けられる。
【００２３】
可動レール４０は方向Ｄｒ１に平行に設けられている。可動レール４０は方向Ｄｒ１及び方向Ｄｒ１の反対方向に移動自在である。可動レール４０は支持部材４１によって支持されている。可動レール４０には回転部材４２が取り付けられている。つまり、冷蔵庫１は一対の回転部材４２を備えている。一対の回転部材４２は本発明の第１の回転部材及び第２の回転部材に対応している。冷凍室扉７が引き出されると、回転部材４２が固定レール４３上を転がる。これにより、ユーザーが冷凍室扉７を引き出すときの力を軽減できる。可動レール４０の手前側の端部が冷凍室扉７に取り付けられ、可動レール４０の奥側の端部には回転部材４２が取り付けられている。可動レール４０には補強部材４６が設けられている。可動レール４０上には冷凍室ケース６０が載置される。つまり、可動レール４０は冷凍室ケース６０を支持する機能を有している。冷凍室ケース６０は可動レール４０から取り外し自在になっているので、ユーザーは冷凍室ケース６０を清掃しやすい。
【００２４】
仕切部材４４、仕切部材４５及び内箱２ｔ２等によって冷凍室１３が形成されている。そして、冷凍室１３は、内箱２ｔ２の第１の面２Ａと、内箱２ｔ２の第２の面２Ｂと、仕切部材４４の上面４４Ａと、仕切部材４５の下面４５Ｂと、に囲まれている。第１の面２Ａと第２の面２Ｂとは向かい合っている。第１の面２Ａと第２の面２Ｂは方向Ｄｒ２に直交している。第１の面２Ａには一方の固定レール４３が固定され、第２の面２Ｂには他方の固定レール４３が固定される。
【００２５】
補強部材４６の一端は一方の可動レール４０に設けられ、補強部材４６の他端は他方の可動レール４０に設けられている。補強部材４６と可動レール４０とは固定されていてもよいし、固定されていなくてもよい。補強部材４６は冷凍室ケース６０のたわみを抑制する機能を有する。補強部材４６は板状部材である。冷凍室ケース６０内に貯蔵品が載置されると、貯蔵品の重みにより、冷凍室ケース６０がたわむことがある。補強部材４６が可動レール４０に設けられていることで、冷凍室ケース６０を支持する部材の面積は、可動レール４０の面積だけでなく、補強部材４６の面積も加わることになる。したがって、冷凍室ケース６０のたわみを抑制することができ、冷凍室ケース６０が破損等してしまうことを回避することができる。
【００２６】
図４Ａは、（ａ）は実施の形態に係る冷蔵庫１の冷凍室１３の冷凍室扉７、固定レール４３、可動レール４０、冷凍室ケース６０を横から見た図であり、（ｂ）は冷凍室扉７が方向Ｄｒ１に引き込まれる構造を示し、（ｃ）は第１のストッパー４７Ａ等の構造を示している。
図４Ｂは、実施の形態に係る冷蔵庫１の冷凍室扉７を引き出した状態を示している。
図４Ｃは、図７Ａの状態よりも更に、実施の形態に係る冷蔵庫１の扉を引き出した状態を示している。
図４Ｄは、実施の形態に係る冷蔵庫１の固定レール４３及びその周辺の説明図である。
【００２７】
可動レール４０は支持部材４１に接触する引掛部４０Ｃを備えている。引掛部４０Ｃは、図４Ａ（ｂ）に示す傾斜面部４７Ｃと、図４Ａ（ｃ）に示す第１のストッパー４７Ａ及び第２のストッパー４７Ｂとを備えている。傾斜面部４７Ｃは、方向Ｄｒ１に向かって下側に傾斜している。このため、冷凍室扉７で冷凍室１３を閉じるときに、冷凍室扉７が引き込まれる。これにより、ユーザーが冷凍室扉７を閉じるときの動作の負担を抑制している。また、冷蔵庫１が傾斜面部４７Ｃを備えることで、意図せずに冷凍室１３が開放されてしまうことを防止することができる。また、冷凍室扉７を冷凍室１３から引き出すと、支持部材４１と第１のストッパー４７Ａとが接触する。このときの状態は図４Ｂに示している。更に、冷凍室扉７を冷凍室１３から引き出すと、支持部材４１と第２のストッパー４７Ｂとが接触する。このときの状態は図４Ｃに示している。
【００２８】
支持部材４１は冷凍室１３の手前側に設けられている。つまり、冷凍室扉７が冷凍室１３を閉塞している状態では、支持部材４１は冷凍室扉７の後面部に近接している。また、支持部材４１は冷凍室１３の下側に設けられている。一方の支持部材４１は第１の面２Ａに固定されている。他方の支持部材４１は第２の面２Ｂに固定されている。
【００２９】
固定レール４３は、仕切部材４４上に設けられている。固定レール４３の下部は仕切部材４４に接触している。一方の固定レール４３は内箱２ｔ２の第１の面２Ａに接触した状態で第１の面２Ａに固定されている。他方の固定レール４３は内箱２ｔ２の第２の面２Ｂに接触した状態で第２の面２Ｂに固定されている。固定レール４３は支持部材４１の下側に設けられている。一方の固定レール４３は一方の可動レール４０と第１の面２Ａとの間に配置されている。また、他方の固定レール４３は他方の可動レール４０と第２の面２Ｂとの間に配置されている。回転部材４２は固定レール４３上を回転する。固定レール４３は方向Ｄｒ１に平行に設けられている。固定レール４３の一部が仕切部材４４に挿入されている。固定レール４３等の詳細な構造は、後述の図５Ａ〜図５Ｄで説明する。
【００３０】
仕切部材４４は、冷凍室１３と野菜室１４とを仕切る機能を有する。仕切部材４４は上面４４Ａ及び下面４４Ｂを含む。上面４４Ａは冷凍室１３に臨み、下面４４Ｂは野菜室１４に臨んでいる。仕切部材４４には固定レール４３が設けられている。
仕切部材４５は、製氷室１１及び切替室１２と野菜室１４とを仕切る機能を有する。仕切部材４５は上面４５Ａ及び下面４５Ｂを含む。上面４５Ａは製氷室１１及び切替室１２に臨み、下面４５Ｂは冷凍室１３に臨んでいる。
【００３１】
［固定レール４３等の詳細説明］
図５Ａは、実施の形態に係る冷蔵庫１の仕切部材４４及び固定レール４３の分解斜視図である。
図５Ｂは、実施の形態に係る冷蔵庫１の仕切部材４４及び固定レール４３の正面図である。
図５Ｃは、実施の形態に係る冷蔵庫１の仕切部材４４及び固定レール４３を横から見た図である。
図５Ｄは、実施の形態に係る冷蔵庫１の固定レール４３、可動レール４０、回転部材４２及び支持部材４１の説明図である。
図５Ｄ（ａ）は固定レール４３、可動レール４０、回転部材４２及び支持部材４１を示す断面図であり、図５Ｄ（ｂ）は、可動レール４０及び回転部材４２を示す断面図である。
【００３２】
可動レール４０は、載置部４０Ａと、壁部４０Ｂと、引掛部４０Ｃとを備えている。
載置部４０Ａは、冷凍室ケース６０が載置される。載置部４０Ａは平板部材である。載置部４０Ａは長方形状を有している。載置部４０Ａの長手方向は方向Ｄｒ１であり、載置部４０Ａの短手方向は方向Ｄｒ２である。載置部４０Ａには補強部材４６が設けられている（図３Ａ参照）。載置部４０Ａの長手方向に平行な端部には、壁部４０Ｂが接続されている。
壁部４０Ｂは、載置部４０Ａと引掛部４０Ｃとを接続している。壁部４０Ｂの下端部は載置部４０Ａに接続され、壁部４０Ｂの上端部は引掛部４０Ｃに接続されている。壁部４０Ｂは冷凍室ケース６０と固定レール４３との間に配置されている。
引掛部４０Ｃは、支持部材４１に支持される。引掛部４０Ｃはフランジ状に形成されている。引掛部４０Ｃは載置部４０Ａ及び壁部４０Ｂよりも上側に配置されている。また、引掛部４０Ｃは回転部材４２及び固定レール４３よりも上側に配置されている。引掛部４０Ｃには上述した第１のストッパー４７Ａ、第２のストッパー４７Ｂ及び傾斜面部４７Ｃが形成されている。
【００３３】
支持部材４１は、シャフト４１Ａと、ローラー４１Ｂとを備えている。
シャフト４１Ａは、ローラー４１Ｂを回転自在に支持する機能を有する。一方の支持部材４１のシャフト４１Ａは、内箱２ｔ２の第１の面２Ａに接続されている。また、他方の支持部材４１のシャフト４１Ａは、内箱２ｔ２の第２の面２Ｂに接続されている。
ローラー４１Ｂは、シャフト４１Ａに回転自在に設けられている。ローラー４１Ｂは、引掛部４０Ｃに接触している。可動レール４０が方向Ｄｒ１に平行に移動すると、ローラー４１Ｂが回転する。これにより、支持部材４１は可動レール４０を支持するだけでなく、ユーザーが冷凍室扉７を移動させるときの動作の負担を抑制できる。
【００３４】
回転部材４２は、シャフト４２Ａと、ローラー４２Ｂとを備えている。
シャフト４２Ａは、ローラー４２Ｂを回転自在に支持する機能を有する。シャフト４２Ａは、可動レール４０に取り付けられている。シャフト４２Ａは例えば可動レール４０の壁部４０Ｂに取り付けられている。
ローラー４２Ｂは、シャフト４２Ａに回転自在に設けられている。ローラー４２Ｂは、固定レール４３に接触している。可動レール４０が方向Ｄｒ１に平行に移動すると、ローラー４２Ｂが回転する。これにより、ユーザーが冷凍室扉７を移動させるときの動作の負担を抑制できる。
【００３５】
固定レール４３の一部は、仕切部材４４に挿入されている。なお、固定レール４３は圧入により仕切部材４４に挿入されていてもよい。また、固定レール４３は仕切部材４４に挿入される部分が仕切部材４４に連結されていてもよい。固定レール４３と仕切部材４４との連結構造としては、例えばツメ構造を採用することができる。固定レール４３は仕切部材４４から着脱自在である。このため、固定レール４３が破損等したときに交換が容易である。また、固定レール４３は仕切部材４４と別部材であるが、固定レール４３が仕切部材４４に取り付けられることで、固定レール４３と仕切部材４４とは一体になる。
【００３６】
固定レール４３は、底部４３Ａと、下部４３Ｂと、上部４３Ｃと、接触面部４３Ｄと、ガイド部４３Ｅと、奥部４３Ｆとを備えている。冷蔵庫１は一対の固定レール４３を備えている。このため、冷蔵庫１は一対の底部４３Ａと、一対の下部４３Ｂと、一対の上部４３Ｃと、一対の接触面部４３Ｄと、一対のガイド部４３Ｅと、一対の奥部４３Ｆとを備えている。一対の下部４３Ｂは本発明の第１の下部及び第２の下部に対応している。
【００３７】
底部４３Ａは、冷凍室ケース６０の貯蔵品、冷凍室ケース６０、可動レール４０及び回転部材４２を支持する機能を有する。つまり、底部４３Ａは、冷凍室ケース６０の貯蔵品、冷凍室ケース６０、可動レール４０及び回転部材４２の荷重を受ける。底部４３Ａは仕切部材４４の上面４４Ａ上に接触して設けられている。底部４３Ａは接触面部４３Ｄに接続されている。底部４３Ａは、支持面４３Ａ１と、底面４３Ａ２とを備えている。底部４３Ａの上面が支持面４３Ａ１である。支持面４３Ａ１は回転部材４２のローラー４２Ｂが移動する。底面４３Ａ２は仕切部材４４の上面４４Ａに接触している。冷蔵庫１は一対の支持面４３Ａ１を備えている。一対の支持面４３Ａ１は本発明の第１の支持面及び第２の支持面に対応している。
【００３８】
下部４３Ｂは固定レール４３に設けられた突出部である。下部４３Ｂは、底部４３Ａよりも下側に設けられている。下部４３Ｂは凹部４４Ｃに挿入される。下部４３Ｂは接触面部４３Ｄの下端に接続されている。下部４３Ｂは、方向Ｄｒ１方向に並ぶように２つ設けられている。なお、下部４３Ｂの数は２つに限定されるものではなく、１つでもよいし、３つ以上であってもよい。下部４３Ｂは凹部４４Ｃに圧入される態様であってもよいし、凹部４４Ｃに連結される態様であってもよい。冷蔵庫１は固定レール４３を備えているので、冷蔵庫１は一対の凹部４４Ｃを備えている。一対の凹部４４Ｃは本発明の第１の凹部及び第２の凹部に対応する。
【００３９】
上部４３Ｃは固定部材４８が挿入される複数の穴が形成されている。固定部材４８は上部４３Ｃに挿入され、固定部材４８の端部は内箱２ｔ２に接続される。固定部材４８は例えばネジ等で構成することができる。固定部材４８の数及び上部４３Ｃの穴は３つである場合を一例に説明するが、その数に限定されるものではない。上部４３Ｃは底部４３Ａ及び下部４３Ｂの上側に設けられている。また、上部４３Ｃは接触面部４３Ｄ及びガイド部４３Ｅの上側に設けられている。上部４３Ｃは接触面部４３Ｄとともに内箱２ｔ２に接触している。上部４３Ｃは接触面部４３Ｄの上端に接続されている。
【００４０】
接触面部４３Ｄに固定部材４８が設けられていると、固定部材４８と回転部材４２とが干渉する可能性がある。冷蔵庫１では上部４３Ｃに固定部材４８が設けられているので、このような干渉を回避することができる。上部４３Ｃは接触面部４３Ｄに接続されている。
接触面部４３Ｄは、回転部材４２に向かい合う面と、内箱２ｔ２に接触する接触面とを含む。接触面部４３Ｄが面で内箱２ｔ２に接触しているので、固定レール４３を内箱２ｔ２に強固に固定できる。
【００４１】
ガイド部４３Ｅは、底部４３Ａに向かい合っている。ガイド部４３Ｅは回転部材４２の上側の移動を規制する機能を有している。ガイド部４３Ｅは回転部材４２の上側に設けられている。ガイド部４３Ｅは接触面部４３Ｄに接続されている。
【００４２】
奥部４３Ｆは、底部４３Ａの奥側の端部及びガイド部４３Ｅの奥側の端部に接続されている。奥部４３Ｆが固定レール４３の最奥部である。
【００４３】
［仕切部材４４及び仕切部材４５について］
図６Ａは、実施の形態に係る冷蔵庫１の仕切部材４４の真空断熱材ＨＩ１及び発泡断熱材ＨＩ２を示す断面図である。
図６Ｂは、実施の形態に係る冷蔵庫１の仕切部材４５の真空断熱材ＨＩ３及び発泡断熱材ＨＩ４の説明図である。
【００４４】
仕切部材４４は、第１の面部４４ａと、第２の面部４４ｂとを備えている。第１の面部４４ａは、接触部４４ａ１と、周縁部４４ａ２とを含む。また、仕切部材４４は、下部４３Ｂが挿入される凹部４４Ｃを含む。
第１の面部４４ａには、凹部４４Ｃが形成されている。実施の形態では、下部４３Ｂが２つであるため、凹部４４Ｃも２つである。第１の面部４４ａは仕切部材４４の上面４４Ａを含む。第１の面部４４ａは樹脂で構成することができる。凹部４４Ｃは固定レール４３に平行に形成されている。
接触部４４ａ１は、第１の面部４４ａのうち真空断熱材ＨＩ１に接触する部分である。周縁部４４ａ２は、第１の面部４４ａのうち接触部４４ａ１の周縁に設けられている部分であって真空断熱材ＨＩ１に接触していない部分である。凹部４４Ｃは第１の面部４４ａのうち周縁部４４ａ２に形成されている。
【００４５】
第２の面部４４ｂは、第１の面部４４ａよりも下側に設けられている。第２の面部４４ｂは仕切部材４４の下面４４Ｂを含む。
【００４６】
第１の面部４４ａと第２の面部４４ｂとの間には、真空断熱材ＨＩ１と発泡断熱材ＨＩ２とが設けられている。真空断熱材ＨＩ１は第１の面部４４ａに接触して設けられており、発泡断熱材ＨＩ２は真空断熱材ＨＩ１の周囲及び真空断熱材ＨＩ１の下側に設けられている。真空断熱材ＨＩ１が第１の面部４４ａに接触しているので、冷凍室１３の冷熱が野菜室１４へ伝達されてしまうことを抑制する効果が高くなっている。また、凹部４４Ｃは第１の面部４４ａのうち周縁部４４ａ２に形成されているので、凹部４４Ｃと真空断熱材ＨＩ１とが干渉してしまい、真空断熱材ＨＩ１が破損等してしまうことを回避することができる。
【００４７】
仕切部材４５は第３の面部４５ａと第４の面部４５ｂとを備えている。第３の面部４５ａは上面４５Ａを含む。第４の面部４５ｂは下面４５Ｂを含む。仕切部材４５にも、真空断熱材ＨＩ３及び発泡断熱材ＨＩ４が設けられている。つまり、第３の面部４５ａと第４の面部４５ｂとの間には、真空断熱材ＨＩ３及び発泡断熱材ＨＩ４が配置されている。真空断熱材ＨＩ３は第４の面部４５ｂに接触して設けられており、発泡断熱材ＨＩ４は真空断熱材ＨＩ３の周囲及び真空断熱材ＨＩ３の上側に設けられている。真空断熱材ＨＩ３が第４の面部４５ｂに接触しているので、冷凍室１３の冷熱が切替室１２へ伝達されてしまうことを抑制する効果が高くなっている。
【００４８】
［実施の形態の効果］
冷蔵庫１は仕切部材４４と、仕切部材４４の第１の面部４４ａとは別体である固定レール４３とを備えている。このため、第１の面部４４ａを構成する樹脂の肉厚と、固定レール４３を構成する樹脂の肉厚とが異なっていても、第１の面部４４ａと固定レール４３とは別々に成形するので、仕切部材４４の成形不良及び固定レール４３の成形不良を回避することができる。
【００４９】
また、固定レール４３は仕切部材４４上に設けられている。つまり、固定レール４３は冷凍室１３の下側に配置されている。したがって、冷凍室ケース６０の上部６０Ａ（図４Ｄ参照）は、固定レール４３よりも、方向Ｄｒ２における冷凍室１３の中心寄りに配置する必要がなくなっている。つまり、冷凍室ケース６０の上部６０Ａが、固定レール４３の上に配置されていてもよい。このため、冷蔵庫１は、冷凍室ケース６０の方向Ｄｒ２に平行な幅を広げることができ、容積が小さくなることを抑制することができる。
【００５０】
［変形例１］
図７Ａは、実施の形態に係る冷蔵庫１の変形例１である。
変形例１に係る冷蔵庫１は、補強部材４６に加えて、補強部材４６Ｂ及び補強部材４６Ｃを備えている。補強部材４６Ｂは本発明の第２の補強部材に対応する。補強部材４６Ｃは本発明の第３の補強部材に対応する。補強部材４６Ｂは、一端が一方の可動レール４０に設けられ、他端が他方の可動レール４０に設けられている。補強部材４６Ｂは補強部材４６よりも冷凍室扉７の近くに設けられている。補強部材４６Ｂは板状部材である。補強部材４６Ｃは一端が補強部材４６に設けられ、他端が補強部材４６Ｂに設けられている。補強部材４６Ｃも板状部材である。補強部材４６Ｂは可動レール４０に固定されていてもよいし、固定されていなくてもよい。補強部材４６Ｃは補強部材４６及び補強部材４６Ｂに固定されていてもよいし、固定されていなくてもよい。
変形例１に係る冷蔵庫１は、補強部材４６に加えて、補強部材４６Ｂ及び補強部材４６Ｃを備えることで、冷凍室ケース６０を支持する部材の面積を更に広げることができる。これにより、冷凍室ケース６０のたわみを更に抑制することができ、冷凍室ケース６０が破損等してしまうことを回避することができる。
【００５１】
［変形例２］
図７Ａは、実施の形態に係る冷蔵庫１の変形例２である。
実施の形態は、固定レール４３に複数の下部４３Ｂが形成されている態様であった。変形例２に係る冷蔵庫１は、固定レール４３の下部４３０Ｂが単数である。しかし、下部４３０Ｂの方向Ｄｒ１に平行な幅は、下部４３Ｂの方向Ｄｒ１に平行な幅よりも長くなっている。また、凹部４４０Ｃの方向Ｄｒ１に平行な幅も、下部４３０Ｂの方向Ｄｒ１に平行な幅に対応した大きさになっている。下部４３０Ｂの方向Ｄｒ１に平行な幅は、固定レール４３の方向Ｄｒ１に平行な幅の例えば２／３以上に設定するとよい。変形例２に係る冷蔵庫１でも、実施の形態に係る冷蔵庫１と同様の効果を得ることができる。
【符号の説明】
【００５２】
１  冷蔵庫、２  筐体、２Ａ  第１の面、２Ｂ  第２の面、２ｔ２  内箱、３  冷蔵室扉、４  冷蔵室扉、５  製氷室扉、６  切替室扉、７  冷凍室扉、８  野菜室扉、９  操作パネル、１０  冷蔵室、１０Ａ  ケース、１０Ｂ  ケース、１０Ｃ  ドアポケット、１１  製氷室、１２  切替室、１２Ａ  切替室ケース、１３  冷凍室、１３Ａ  冷凍室ケース、１４  野菜室、１４Ａ  野菜室ケース、１４Ｂ  野菜室ケース、１５  機械室、２０  圧縮機、２１  熱交換器、２２  冷却用ファン、２３  切替室用ダンパー、２４  冷蔵室用ダンパー、３０  冷蔵室ダクト、３１  野菜室ダクト、３２  切替室ダクト、４０  可動レール、４０Ａ  載置部、４０Ｂ  壁部、４０Ｃ  引掛部、４１  支持部材、４１Ａ  シャフト、４１Ｂ  ローラー、４２  回転部材、４２Ａ  シャフト、４２Ｂ  ローラー、４３  固定レール、４３Ａ  底部、４３Ａ１  支持面、４３Ａ２  底面、４３Ｂ  下部、４３Ｃ  上部、４３Ｄ  接触面部、４３Ｅ  ガイド部、４３Ｆ  奥部、４４  仕切部材、４４Ａ  上面、４４Ｂ  下面、４４Ｃ  凹部、４４ａ  第１の面部、４４ａ１  接触部、４４ａ２  周縁部、４４ｂ  第２の面部、４５  仕切部材、４５Ａ  上面、４５Ｂ  下面、４５ａ  第３の面部、４５ｂ  第４の面部、４６  補強部材、４６Ｂ  補強部材、４６Ｃ  補強部材、４７Ａ  第１のストッパー、４７Ｂ  第２のストッパー、４７Ｃ  傾斜面部、４８  固定部材、５０  棚、６０  冷凍室ケース、８０Ａ  レール、８０Ｂ  レール、１００  冷蔵庫、４３０Ｂ  下部、４４０Ｃ  凹部、ＨＩ１  真空断熱材、ＨＩ２  発泡断熱材、ＨＩ３  真空断熱材、ＨＩ４  発泡断熱材。
【図１】
0006723441.tif 000002
【図２Ａ】
0006723441.tif 000003
【図２Ｂ】
0006723441.tif 000004
【図３Ａ】
0006723441.tif 000005
【図３Ｂ】
0006723441.tif 000006
【図３Ｃ】
0006723441.tif 000007
【図４Ａ】
0006723441.tif 000008
【図４Ｂ】
0006723441.tif 000009
【図４Ｃ】
0006723441.tif 000010
【図４Ｄ】
0006723441.tif 000011
【図５Ａ】
0006723441.tif 000012
【図５Ｂ】
0006723441.tif 000013
【図５Ｃ】
0006723441.tif 000014
【図５Ｄ】
0006723441.tif 000015
【図６Ａ】
0006723441.tif 000016
【図６Ｂ】
0006723441.tif 000017
【図７Ａ】
0006723441.tif 000018
【図７Ｂ】
0006723441.tif 000019